(57)【要約】  靴用インソールは、上面、反対側の底面、後端部及び反対側の前端部を含むことができる。後端部に近い上面の少なくとも一部は、凹状であることが可能である。後端部に近い底面の少なくとも一部は、凸状であることが可能である。複数の離間した穴は、上面からインソールを通って底面に延在することができる。複数の離間した穴は、２列に配置することができる。２列の第１の列は、２列の第２の列に対して半径方向内方に離間することができる。第１の列の複数の穴は、それぞれが同じ大きさを有することができる。第２の列の複数の穴は、それぞれが同じ大きさを有することができる。
2021512726.tif 000002
【特許請求の範囲】
【請求項１】
靴用インソールであって、
上面、反対側の底面、後端部及び反対側の前端部を有する本体部であって、前記本体部は、足の少なくとも土踏まず及び踵を支持し、前記足の少なくとも前記土踏まず及び前記踵の真下に位置付けられるように構成される、本体部と、
上面、反対側の底面、後端部及び対向する前端部を有する前足部であって、前記前足部の前記後端部は、前記本体部の前記前端部に取り付けられ、前記前足部は、前記足の少なくとも拇指球を支持し、前記足の少なくとも前記拇指球の真下に位置付けられるように構成される、前足部とを含み、
複数の離間した穴は、前記上面から前記本体部を通って前記底面に延在し、前記複数の離間した穴は、前記インソールに可撓性を提供するように構成される、インソール。
【請求項２】
前記複数の離間した穴の第１の穴は、前記複数の離間した穴の第２の穴より大きい、請求項１に記載のインソール。
【請求項３】
前記複数の離間した穴は２列に配置され、前記２列を除いた前記インソールの残余部はいかなる穴も含まない、請求項１又は２に記載のインソール。
【請求項４】
前記２列のうちの第１の列は、前記２列のうちの第２の列に対して半径方向内方に離間される、請求項１〜３のいずれか一項に記載のインソール。
【請求項５】
前記２列のうちの前記第１の列の各穴は同じ大きさを有し、前記２列のうちの前記第２の列の各穴は同じ大きさを有する、請求項１〜４のいずれか一項に記載のインソール。
【請求項６】
前記第１の列の各穴は、前記第２の列の各穴より小さい、請求項１〜５のいずれか一項に記載のインソール。
【請求項７】
前記第１の列の各穴は、前記第２の列の各穴より小さい直径を有する、請求項１〜６のいずれか一項に記載のインソール。
【請求項８】
前記第１及び第２の列の両方の前記穴は、それぞれが円形状を有する、請求項１〜７のいずれか一項に記載のインソール。
【請求項９】
前記前足部は、前記上面からその前記底面に延在するいかなる穴も含まない、請求項１〜８のいずれか一項に記載のインソール。
【請求項１０】
突条は、前記本体部の前記底面から外方に延出し、前記突条は、前記第１の列の隣接した穴のいくつかの間の蛇行経路内に延在する、請求項１〜９のいずれか一項に記載のインソール。
【請求項１１】
前記後端部に近い前記本体部の前記上面の少なくとも一部は凹状であり、前記後端部に近い前記本体部の前記底面の少なくとも一部は凸状である、請求項１〜１０のいずれか一項に記載のインソール。
【請求項１２】
境界線は、前記前足部から前記本体部を分離し、前記境界線は、前記インソールの幅全体にわたって延在する、請求項１〜１１のいずれか一項に記載のインソール。
【請求項１３】
靴用インソールであって、
上面、反対側の底面、後端部及び反対側の前端部を含み、複数の離間した穴は、前記上面から前記インソールを通って前記底面に延在し、前記複数の離間した穴は２列に配置され、前記２列のうちの第１の列は、前記２列のうちの第２の列に対して半径方向内方に離間し、前記第１の列の各穴は同じ大きさを有し、前記第２の列の各穴は同じ大きさを有し、前記第１の列の各穴は前記第２の列の各穴より小さい、インソール。
【請求項１４】
前記第１の列の各穴は、前記第２の列の各穴より小さい直径を有する、請求項１３に記載のインソール。
【請求項１５】
前記複数の離間した穴を含む本体部と、
その上面から底面に延在するいかなる穴もない前足部とを更に含む、請求項１３又は１４に記載のインソール。
【請求項１６】
前記前足部から前記本体部を分離する境界線を更に含み、前記境界線は前記インソールの幅全体にわたって延在する、請求項１３〜１５のいずれか一項に記載のインソール。
【請求項１７】
突条は前記本体部の底面から外方に延在し、前記突条は、前記第１の列のいくつかの隣接した穴の間の蛇行経路内に延在する、請求項１３〜１６のいずれか一項に記載のインソール。
【請求項１８】
前記第１及び第２の列の両方の各穴は円形状を有する、請求項１３〜１７のいずれか一項に記載のインソール。
【請求項１９】
前記後端部に近い前記上面の少なくとも一部は凹状であり、前記後端部に近い前記底面の少なくとも一部は凸状である、請求項１３〜１８のいずれか一項に記載のインソール。
【請求項２０】
請求項１、２、及び１３のいずれか一項に記載のインソールと、
フラットシューズとハイヒールの一方とを含む、組合せ。
【請求項２１】
少なくとも２インチの高さのヒールを有するハイヒール用インソールであって、
上面、反対側の底面、後端部及び反対側の前端部と、
前記インソールの可撓性を増加するための手段とを含む、インソール。
【請求項２２】
少なくとも２インチの高さのヒールを有するハイヒール用インソールを形成する方法であって、前記インソールは、上面、反対側の底面、後端部及び反対側の前端部を含み、
前記インソールの可撓性を増加するために、前記上面から前記インソールを通って前記底面に延在する複数の離間した穴を形成することを含む、方法。
【請求項２３】
前記複数の穴の各穴は、打抜工程によって形成される、請求項２２に記載の方法。
【請求項２４】
前記インソールの所望の量の可撓性に基づいて、前記複数の穴のそれぞれの大きさ及び配列を決定することを更に含む、請求項２２又は２３に記載の方法。
【請求項２５】
前記複数の離間した穴は２列に配置される、請求項２２〜２４のいずれか一項に記載の方法。
【請求項２６】
前記列の一方の前記穴は、前記他方の列の前記穴より大きい、請求項２２〜２５のいずれか一項に記載の方法。
【請求項２７】
前記複数の穴は、それぞれが円形状を有する、請求項２２〜２６のいずれか一項に記載の方法。
【発明の詳細な説明】
【技術分野】
【０００１】
本開示技術は、一般にインソールに関する。より詳細には一実施形態では、本開示技術は、ハイヒール用インソールに関する。
【背景技術】
【０００２】
＜関連出願の相互参照＞
本出願は、「インソール、及びハイヒール用インソール」の名称で２０１８年２月８日に出願された米国仮特許出願第６２／６２７，８２８号明細書、及び「インソール、ハイヒール用インソール、及びインソールを作成し使用する方法」の名称で２０１８年８月２４日に出願された米国仮特許出願第６２／７２２，２１２号明細書の優先権を主張し、どちらも参照により全体が本明細書に組み込まれる。
【０００３】
＜背景技術＞
図１は、概して１０に指定された従来のハイヒールを示し、これはヒール１２、ヒールブレスト１４、ヒールチップ１６、シャンク（靴の外部から見えないが、概して参照番号１８の近位にある）及び前足部２０を含む。シャンクは、靴の懸架状アーチ領域を構造的に支持する内部構成要素（例えば金属、合成物、又は別の硬い材料から作られることが多い）である。ハイヒールは、少なくとも使用者の重量の相当量が使用者の前足に集中し、又は使用者の前足に向かって方向付けられ、それにより少なくとも足の中指骨頭部上に高い圧力が生じるので、概して使用者に不快である。
【０００４】
同様にハイヒールではない靴のような他の履物も、使用者に不快である可能性がある。ある特定の従来のインソールは、その前足部内に比較的小さい穿孔を含む。これらの穿孔は、インソールに通気性を授け、インソール内に残る可能性がある水分及び臭気を低減する助けとなるように設計されている。このような穿孔は、非常に小さいのでインソールの可撓性を増加させることはできない。
【発明の概要】
【発明が解決しようとする課題】
【０００５】
先行技術の上記及び他の欠点を克服する、靴用インソールを提供することが望ましいはずである。
【課題を解決するための手段】
【０００６】
一実施形態では、本開示技術は、概してインソール及び／若しくは、これに限定されないがハイヒールなどの靴の感触、快適性並びに／又は性能を向上させることを対象とする。本開示技術は、それを通って延在する複数の離間した穴を有するインソールを含む。穴の大きさ、形状及び配置は、ハイヒールにおける快適性及び／又は可撓性の増加に寄与することができる。
【０００７】
より具体的には一実施形態では、複数の離間した穴により、単一及び／又は硬質材料から作成された構造の特性を変化させ、又は選択的に変動させることができる。複数の離間した穴により、インソールは必要な又は望ましい領域を可撓性にし、インソールの他の領域を硬質及び／又は支持的にすることができる。
【０００８】
別の実施形態では、本開示技術は、靴用インソールを対象とする。インソールは、上面、反対側の底面、後端部及び反対側の前端部を有する本体部を含むことができる。後端部に近い上面の少なくとも一部は、凹状であることが可能である。後端部に近い底面の少なくとも一部は、凸状であることが可能である。インソールは、上面、反対側の底面、後端部及び反対側の前端部を有する前足部も含むことができる。前足部の後端部は、本体部の前端部に取り付けることができる。境界線は、前足部から本体部を分離することができる。境界線は、インソールの幅全体にわたって延在することができる。インソールは、上面から本体部を通って底面に、及び／又は底面を通って延在する複数の離間した穴を含むことができる。
【０００９】
尚別の実施形態では、本開示技術は、靴用インソールを対象とする。インソールは、上面、反対側の底面、後端部及び反対側の前端部を含むことができる。後端部に近い上面の少なくとも一部は、凹状であることが可能である。後端部に近い底面の少なくとも一部は、凸状であることが可能である。複数の離間した穴は、上面からインソールを通って底面に延在することができる。複数の離間した穴は、２列に配置することができる。２列のうちの第１の列は、２列のうちの第２の列に対して半径方向内方に離間することができる。第１の列の複数の穴は、それぞれが同じ大きさを有することができる。第２の列の複数の穴は、それぞれが同じ大きさを有することができる。第１の列の複数の穴は、それぞれが第２の列の複数の穴のそれぞれより小さいことが可能である。
【００１０】
一層別の実施形態では、本開示技術は、インソールを通って延在する複数の離間した穴を含む、ハイヒール用インソールを対象とする。複数の離間した穴は、インソールの可撓性を増加させ、それによって挿入部がより容易に柔軟になり、足の形状に適応し、荷重をより均等に分配し、最大荷重を低減し、且つ／又は快適性を高めることができる。
【００１１】
更なる実施形態では、本開示技術は、インソールを通って延在する複数の離間した穴を含む、ハイヒール用インソールを対象とする。複数の離間した穴は、インソールの可撓性を増加させ、それによってランニング中及び／若しくは歩行中に緩衝作用並びに／又は衝撃減衰を提供する。
【００１２】
本開示技術の前述の概要、並びに以下の詳述は、添付図面と併せて読むとより良く理解されよう。本開示技術を例示するために、様々な例示的実施形態が図面に示されている。しかし本開示技術は、示された厳密な配置及び手段に限定されないことを理解されたい。
【図面の簡単な説明】
【００１３】
【図１】先行技術のハイヒールの斜視図である。
【図２】本開示技術の実施形態による、インソールの上斜視図である。
【図３】その底斜視図である。
【図４】その上面図である。
【図５】その底面図である。
【図６】その第１の側面の立面図である。
【図７】その対向する第２の側面の立面図である。
【図８】その前立面図である。
【図９】その後立面図である。
【図１０】本開示技術の一実施形態による、ハイヒール内に置かれたインソールの断面側立面図である。
【図１１】図１０に示された組合せの一部の拡大図である。
【発明を実施するための形態】
【００１４】
システム、装置及び方法が例及び実施形態を介して本明細書に記載されているが、本開示技術のシステム、装置及び方法は、記載された実施形態又は図面に限定されないことが当業者には認識される。むしろ本開示技術は、添付の特許請求の精神及び範囲内に納まる全ての修正形態、等価物並びに代替形態を網羅する。本明細書に使用されたあらゆる見出しは、体系付けるために過ぎず、明細書又は特許請求の範囲を限定することを意味するものではない。
【００１５】
ある特定の専門用語は、以下の明細書に便宜上使用されているに過ぎず、限定するものではない。単語「底」、「上」、「左」、「右」、「下部」及び「上部」は、参照するために図面における方向を指定する。本明細書に特段に明記しない限り、用語「ａ」、「ａｎ」及び「ｔｈｅ」は、１つの要素に限定するのではなく、その代わりに「少なくとも１つ」を意味すると読むべきである。本明細書で使用する場合、単語「ｍａｙ」は、義務の意味（すなわち、ねばならないを意味する）より、むしろ許容の意味（すなわち、可能性を有することを意味する）に使用される。専門用語は、上に書かれた単語、それらの派生語及び同意語を含む。
【００１６】
図面を詳細に参照すると、同じ番号は全体を通して同じ要素を指し、図２〜９は、本開示技術により概ね１００で指定したインソールを示す。図２〜９は、右足用に設計されたインソールを示し、対応する又は鏡像のインソールは左足用に設計することができる。一実施形態では、インソールは、２インチ以上の高さのヒールを有するハイヒール用に設計されている。しかし一実施形態では、本開示技術は、ランニングシューズ若しくは女性用のフラットシューズなどの、ハイヒールではない靴又はフラットシューズ用のインソールに組み込むことができる。インソールの長さの３／４のみが示されているが、本開示技術は、あらゆる長さ又は幅のインソールに組み込むことができる。
【００１７】
インソールがハイヒール（例えば２インチ以上の高さのヒール）用、又はフラットシューズ用に設計されているかは、インソールを構築するために使用する材料の硬さすなわち硬度に依存することができる。例えばインソールのプレート（プレートの例は以下に記載されている）は、より高い硬度又はより低い硬度を有するように作成することができる。任意選択で、インソールの単一プレート又は別の部分は、２つ以上の部分で形成することができ、そのそれぞれは異なる硬度を有することができる。一実施形態では、より高い靴（例えば４インチの高さのヒール）用に設計されたインソールのプレートは、より低い靴（例えばランニングシューズ）用に設計されたインソールのプレートより高い硬度を有する。同様に靴のヒールが高いほど、インソールのプレートの硬度は高い。インソールの異なる部分の硬度に対する数値又は範囲は、履物の性質及び高さなどのいくつかの要因に依存することができる。
【００１８】
図２〜９を参照すると、インソール１００は、上面１０４、対向する底面１０６、後端部１０８及び対向する前端部１１０を有する、本体又は後部１０２を含むことができる。後端部１０８に近い上面１０４の少なくとも一部は、凹状であることが可能である。後端部１０８に近い底面１０６の少なくとも一部は、凸状であることが可能である。本体部１０２は、ヒール部及び中間足部を含むことができ、又はヒール部及び中間足部によって形成することができ、中間足部は、足の他の部分の中で土踏まずを支持するように設計することができる。
【００１９】
インソール１００は、上面１１４、反対側の底面１１６、後端部１１８及び対向する前端部１１９を有する、前足又は前部１１２も含むことができる。後端部１１８に近い上面１１４の少なくとも一部は、平坦、又は概ね若しくは実質的に平坦であることが可能である。後端部１１８に近い底面１１６の少なくとも一部は、平坦、又は概ね若しくは実質的に平坦であることが可能である。前足部１１２は、拇指球及び／又は足の中指骨の１つ若しくは全てを（少なくとも一部又は全体さえも）支持するように設計し、大きさにし、且つ／或いは形を定めることができる。
【００２０】
前足部１１２の後端部１１８は、本体部１０２の前端部１１０に取り付けることができる。一実施形態では、境界線１２０は、前足部１１２から本体部１０２を分離する。境界線１２０は、インソール１００の幅Ｗ（図５参照）全体にわたって延在することができる。インソール１００は、インソール１００のあらゆる他の部分より容易に境界線１２０で折り畳むように構成することができる。一実施形態では、境界線１２０は、インソール１００の底部上のみで見え、インソールの上部上には見えない（例えば図４を図５と比較されたい）。
【００２１】
図６及び７に示されたように、境界線１２０は、前足部１１２が本体部１０２に対して傾斜して延在する点（又は線）を画定することができる。例えば前足部１１２の上面１１４は、本体部１０２の上面１０４に対しておよそ３０度のように傾斜して延在することができる。
【００２２】
インソール１００は、可撓性を増加させるための手段を含むことができる。一実施形態では、可撓性を増加させるための手段は、上面１０４から本体部１０２を通って底面１０６に延在する、互いに離間した複数の穴１２２である。穴１２２は、インソール１００の力減衰能力及び／又は力分散能力を増加させることができ、それによってインソール１００に可撓性を生成若しくは追加し、且つ／又は使用者のためにより快適なインソールを生成する。
【００２３】
可撓性は２つの理由で重要である。第１に、可撓性は、挿入部の外形を柔軟にして足の形状に適応することができる一方で、荷重をより均一に分配し、それによって最大荷重を低減し、快適性を高める。第２に、挿入部の動的な屈曲は、歩行中及びランニング中に緩衝作用並びに／又は衝撃減衰を提供する。
【００２４】
任意選択で、穴１２２は、インソール１００の剛性を下げることができ、それによって穴１２２がインソール１００内に含まれなかった場合よりインソール１００を柔軟にする。別法として又は追加として、穴１２２は荷重の空間的再分配を提供する。
【００２５】
任意選択で、織物層又は布層（図示せず）は上面１０４に取り付けることができる。織物層には穴１２２を設けてよく、又、設けなくてもよい。
【００２６】
穴１２２の大きさは、インソール１００のプレートの硬度及び／又はインソール１００の上面の少なくとも一部の外形の湾曲に基づくことが可能である。例えばより低い硬度のプレートを有するインソールに対して、各穴１２２の大きさは、より高い硬度のプレートを有するインソールより小さい。逆に一実施形態では、より高い硬度のプレートを有するインソールは、より低い硬度のプレートを有するインソールより大きい穴１２２を有する。これは、穴１２２のせいであまり可撓性又は剛性が必要とされない、又は所望されないからであり、そこにはより高い硬度の材料が利用される。インソール１００の上面の湾曲の程度及び／又は外形は、穴１２２の大きさに影響を与えることができる。
【００２７】
任意選択で一実施形態では、より大きくより接近して離間した穴１２２は、より可撓性が必要とされ若しくは所望されるインソールの部分に配置する、又は生成することができる。別法としてより小さい又はより離れて離間した穴１２２は、あまり可撓性が必要とされない、若しくは所望されないインソールの部分に置く、又は生成することができる。
【００２８】
一実施形態では、図２〜９に示されたように、複数の離間した穴１２２は、２列以上の離間した列に配置することができる。２列以上の離間した列のうちの第１の列１２４は、２列以上の離間した列のうちの第２の列１２６に対して半径方向内方（インソール１００の中央部に近い方）に離間することができる。一実施形態では、第１及び第２の列１２４、１２６は、それぞれがインソール１００の外周縁部の形状若しくは湾曲を辿る又は倣うように配置される。一実施形態では、前足部１１２は、それを通って延在するいかなる穴も含まない。
【００２９】
一実施形態では、第１の列１２４の各穴１２２は同じ大きさである。同じ又は異なる実施形態では、第２の列１２６の各穴１２２は同じ大きさである。任意選択で、第１の列１２４の各穴１２２は、第２の列１２６の各穴１２２より小さいことが可能である。より具体的には一実施形態では、第１及び第２の列１２４、１２６の両方の穴１２２は、それぞれが円形状を有することができ、第１の列１２４の各穴１２２は、第２の列１２６の各穴より小さい直径を有することができる。しかし穴１２２は円形状に限定されるのではなく、本明細書に記載された機能性を提供するあらゆる幾何形状からなることが可能である。例えば第１の列１２４の穴１２２は、第２の列１２６の穴１２２と同じ大きさ（例えば直径）を有することができる。
【００３０】
一実施形態では、少なくとも第１の列１２４の穴１２２は、使用者又は着用者がインソール１００を含む靴を着用する時に、第１の列１２４の穴を感じることができないように十分に小さいことが可能である。任意選択で、第１の列１２４の穴１２２は、１〜７ミリメートルの範囲の直径を有することができ、第２の列１２６の穴１２２は、１〜７ミリメートルの範囲の直径を有することができる。例えば一実施形態では、第１の列１２４の穴１２２は、およそ２ミリメートルの直径を有することができ、第２の列１２６の穴１２２は、およそ３ミリメートルの直径を有することができる。
【００３１】
任意選択で、各穴１２２は、インソール１００の成形工程中に形成することができる。別法として、各穴１２２は、成形工程が完了した後に打抜工程中などに形成することができる。
【００３２】
図２、３、５〜７及び９に示されたように、突起又は突条１２８は、本体部１０２の底面１０６から外方に延出することができる。突条１２８は、第１の列１２４の隣接した穴１２２のそれぞれ又はいくつかの間の連続した蛇行経路内に延在することができる。突条１２８の大きさ、形状及び／又は構成は、インソール１００の大きさ及び／又は勾配に依存することができる。用語「級：grading」は、異なる靴の大きさ（例えば同じ型又はスタイルのインソールのサイズ１１及びサイズ９）用のインソールを指すように本明細書では定義される。例えば同じ型又はスタイルのインソールに対して、インソールの様々な構成要素又は部分の割合は同じはずであるが、様々な構成要素の大きさは異なるはずである。サイズ１１のインソールの特徴部は、サイズ９のインソールの同じ特徴部と異なった級である必要があるはずである。
【００３３】
一実施形態では、突条１２８は、インソール１００に硬質又は剛性を加えるように構成される。別法として又は追加として、突条１２８は、把持部又はすべり止めとして機能し、又はインソールと靴の土台の内部との間に摩擦を追加する。例えば突条１２８は、靴内にインソール１００を固定し、それが靴に対して前方に不要に動くのを防ぐ助けとなることができる。加えてインソール１００は、本体部１０２の底面１０６から外方に延出する複数の離間したスパイク１３０のように、靴に対してインソール１００が滑るのを防ぐために１つ又は複数の追加の特徴部を有することができる。
【００３４】
任意選択で、インソール１００は、発泡体、高分子材料（複数可）（例えばナイロン及び／若しくは熱可塑性ウレタン）並びに／又は複合材料で少なくとも一部が形成される。インソールは、靴と分離した材料（又は複数の材料）から作成することができ、選択的に靴から取り外し、靴の中に挿入することができる。プレート（例えば外形に合致したプレート）は、インソール１００の本体部１０２の底面１０６を形成することができる。一実施形態では、プレートは、本体部１０２の底面全体を形成するが、前足部１１２の底面のどの部分も形成しない。プレートは、高分子材料から形成することができ、本体部１０２の上面１０４を形成するために使用される材料より剛であることが可能である。
【００３５】
一実施形態では、インソール１００は、３つの目立たない若しくは異なる材料又は層から形成することができる。例えば図２、３及び６に示されたように、本体部１０２の底面１０６は、高分子材料１３２から形成することができ、本体部１０２の中間部及び前足部１１２の底面１１６は、第１の発泡体又は織物材料１３４から形成することができ、本体部１０２の上面１０４及び前足部の上面１１４は、第２の発泡体又は織物材料１３６から形成することができる。
【００３６】
別法として、インソール１００又はそのプレートは、マルチコンポーネント、マルチショット、又はオーバーモールドなどの多材射出成形（ＭＭＭ）製作から形成することができる。一例では、図５の視点からインソール１００を見ると、突条１２８の内側のインソール１００の部分（及び恐らく突条１２８を含む）は、比較的高い硬度を有する第１の材料から形成することができる。突条１２８の外側のインソール１００の部分（例えば突条１２８とインソール１００の外縁部との間）は、第１の材料より低い硬度を有する第２の材料から形成することができる。より高い硬度の部分は、支持、把持及び／又はバネを向上させることができる。より低い硬度の部分は、可撓性並びに／又は異なる履物（例えば靴）及び／若しくは個人への順応性を向上させることができる。任意選択で、前足部１１２は、全体が異なる又は第３の材料から形成することができる。
【００３７】
任意選択で、インソール１００は、インソール１００がそれと共に使用されるべき靴と別個に設計し且つ／又は製造することができる。インソール１００は、使用する靴の中に挿入又は滑り込ませることができる。一実施形態では、インソール１００を靴の内部に縫い付けることなどにより機械的又は化学的に取り付ける必要はない。
【００３８】
本開示技術のインソール１００は、先行技術のインソールより高い側壁を含む。より高い側壁は、より多くの支持表面積を足に提供し、これは最大圧力を散逸及び／又は分配する。又インソール１００は、先行技術のインソールに比べて追加の緩衝作用も提供することができる。
【００３９】
図１０〜１１は、本開示技術の別の実施形態を示す。図１〜９の実施形態と図１０〜１１の実施形態との間の類似又は同一の構造は、図１〜９の参照番号より１００大きい参照番号により図１〜９と区別されている。図１〜９の実施形態と図１０〜１１の実施形態との間のある特定の類似性の説明は、便宜上及び簡潔性のみのために本明細書では割愛されていることがある。
【００４０】
本実施形態のインソールは、緩衝要素２５０及びプレート２５２を含むことができる。緩衝要素２５０は、接着剤などによりプレート２５２に取り付けることができる。別法として、緩衝要素２５０は、プレート２５２と共に形成することができる。任意選択で、前足緩衝パッド２５４は、緩衝要素２５０に取り付けることができ、又は緩衝要素２５０の一部として形成することができる。前足緩衝パッド２５４は、靴内の適所にインソールを保持する助けとなることができる。
【００４１】
具体的に図１０を参照すると、領域Ａによって同定されたように、本実施形態のインソールは、インソールが静止又は非活性位置にある時にアーチ部を含むように設計することができる。使用時に、インソールはアーチ部（例えば領域Ａ）でアーチが減少し、次いで歩行動作中に自然に跳ね返り、すなわち戻ることができる。
【００４２】
具体的に図１１を参照すると、領域Ｂによって同定されたように、プレート２５２は、使用者の踵を解剖学的に支持し、且つ／又は靴内の足によってもたらされた下方への圧力を散逸させるために大きい半径を含むことができる。インソールは、１つ又は複数の第１の組の把持構造、及び１つ又は複数の第２の組の把持構造を含むことができる。第１の組の把持構造は、プレート２５２の垂直側壁上に置くことができ、且つ／又は離間することができる。第２の組の把持構造は、プレート２５２の底面上に置くことができ、且つ／又は離間することができる。
【００４３】
本開示技術は、靴用インソールを形成する（例えばこれに限定されないが成形する）方法も含む。任意選択で、靴は少なくとも２インチの高さのヒールを有するハイヒールであることが可能である。インソールは、上面、対向する底面、後端部及び対向する前端部を含むことができる。方法は、インソールの可撓性を増加するために、上面からインソールを通って底面に延在する複数の離間した穴を形成すること（例えば成形すること）を含むことができる。
【００４４】
本開示技術は、インソールの可撓性を増加するための方法も含む。方法は、足の踵及び土踏まずの真下に位置付けられる、インソールの部分を通る複数の離間した穴を形成することを含む。
【００４５】
上記の実施形態にその広範囲の発明の概念から逸脱することなく変更を行うことができることが、当業者には認識されよう。従って本開示技術は、開示された特定の実施形態に限定されるのではなく、添付の特許請求の範囲によって定義されたように本開示技術の精神及び範囲内の修正形態を網羅するように意図することを理解されたい。
【図１】
2021512726.tif 000003
【図２】
2021512726.tif 000004
【図３】
2021512726.tif 000005
【図４】
2021512726.tif 000006
【図５】
2021512726.tif 000007
【図６】
2021512726.tif 000008
【図７】
2021512726.tif 000009
【図８】
2021512726.tif 000010
【図９】
2021512726.tif 000011
【図１０】
2021512726.tif 000012
【図１１】
2021512726.tif 000013
【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
靴用インソールであって、
上面、反対側の底面、後端部及び反対側の前端部を有する本体部であって、前記本体部は、足の少なくとも土踏まず及び踵を支持し、前記足の少なくとも前記土踏まず及び前記踵の真下に位置付けられるように構成される、本体部と、
上面、反対側の底面、後端部及び対向する前端部を有する前足部であって、前記前足部の前記後端部は、前記本体部の前記前端部に取り付けられ、前記前足部は、前記足の少なくとも拇指球を支持し、前記足の少なくとも前記拇指球の真下に位置付けられるように構成される、前足部とを含み、
複数の離間した穴は、前記上面から前記本体部を通って前記底面に延在し、前記複数の離間した穴は、前記インソールに可撓性を提供するように構成され、前記複数の離間した穴は２列に配置され、前記２列のうちの第１の列は、前記２列のうちの第２の列に対して半径方向内方に離間される、インソール。
【請求項２】
前記複数の離間した穴の第１の穴は、前記複数の離間した穴の第２の穴より大きい、請求項１に記載のインソール。
【請求項３】
前記２列を除いた前記インソールの残余部はいかなる穴も含まない、請求項１又は２に記載のインソール。
【請求項４】
前記第１の列の各穴は同じ大きさを有し、前記第２の列の各穴は同じ大きさを有する、請求項１〜３のいずれか一項に記載のインソール。
【請求項５】
前記第１の列の各穴は、前記第２の列の各穴より小さい、請求項１〜４のいずれか一項に記載のインソール。
【請求項６】
前記第１の列の各穴は、前記第２の列の各穴より小さい直径を有する、請求項１〜５のいずれか一項に記載のインソール。
【請求項７】
前記第１及び第２の列の両方の前記穴は、それぞれが円形状を有する、請求項１〜６のいずれか一項に記載のインソール。
【請求項８】
前記前足部は、前記上面からその前記底面に延在するいかなる穴も含まない、請求項１〜７のいずれか一項に記載のインソール。
【請求項９】
突条は、前記本体部の前記底面から外方に延出し、前記突条は、前記第１の列の隣接した穴のいくつかの間の蛇行経路内に延在する、請求項１〜８のいずれか一項に記載のインソール。
【請求項１０】
前記後端部に近い前記本体部の前記上面の少なくとも一部は凹状であり、前記後端部に近い前記本体部の前記底面の少なくとも一部は凸状である、請求項１〜９のいずれか一項に記載のインソール。
【請求項１１】
境界線は、前記前足部から前記本体部を分離し、前記境界線は、前記インソールの幅全体にわたって延在する、請求項１〜１０のいずれか一項に記載のインソール。
【請求項１２】
靴用インソールであって、
上面、反対側の底面、後端部及び反対側の前端部を含み、複数の離間した穴は、前記上面から前記インソールを通って前記底面に延在し、前記複数の離間した穴は２列に配置され、前記２列のうちの第１の列は、前記２列のうちの第２の列に対して半径方向内方に離間し、前記第１の列の各穴は同じ大きさを有し、前記第２の列の各穴は同じ大きさを有し、前記第１の列の各穴は前記第２の列の各穴より小さく、
前記靴用インソールは、前記複数の離間した穴を含む本体部と、上面から底面に延在するいかなる穴もない前足部とを更に含む、
インソール。
【請求項１３】
前記第１の列の各穴は、前記第２の列の各穴より小さい直径を有する、請求項１２に記載のインソール。
【請求項１４】
前記前足部から前記本体部を分離する境界線を更に含み、前記境界線は前記インソールの幅全体にわたって延在する、請求項１２又は１３に記載のインソール。
【請求項１５】
突条は前記本体部の底面から外方に延在し、前記突条は、前記第１の列のいくつかの隣接した穴の間の蛇行経路内に延在する、請求項１２〜１４のいずれか一項に記載のインソール。
【請求項１６】
前記第１及び第２の列の両方の各穴は円形状を有する、請求項１２〜１５のいずれか一項に記載のインソール。
【請求項１７】
前記後端部に近い前記上面の少なくとも一部は凹状であり、前記後端部に近い前記底面の少なくとも一部は凸状である、請求項１２〜１６のいずれか一項に記載のインソール。
【国際調査報告】
2021512726.tif 000014
2021512726.tif 000015